(57)【要約】【課題】  本発明は、どのような条件で使用されてもスノコ状床マットが方形を保ち、かつ、足踏みにより音のしない豪華な重厚感と、金属マットの機能性を兼ね備えたスノコ状床マット用桟部材固定方法、およびスノコ状床マットを提供することを目的とする。【解決手段】  隣合ったエンドプレートの両側部に設けられた凹凸部により、前記桟部材の長さ方向の移動を防止している。すなわち、前記構成のスノコ状床マットは、寒暖の差による連結部材の変形、あるいは、長期間の使用による変形があっても、前記隣合ったエンドプレートの両側部に設けられた凹凸部の嵌合により、前記桟部材の長さ方向の移動が防止されて、変形することがないと同時に折り畳むことができる。【選択図】    図１
2005253725.tif 000002
【特許請求の範囲】
【請求項１】
マット部材と、
前記マット部材を上部に嵌合する嵌合凹部と、側部に設けられた連結溝と、少なくとも前記嵌合凹部と側部によって囲まれた空洞部が成形された桟部材と、
前記連結溝に端部を嵌入させることにより、前記桟部材を互いに連結する連結部材と、
前記桟部材の少なくとも一端に固定されるエンドプレートと、
を少なくとも備え、
前記マットが嵌合された桟部材を複数連結させて構成されるスノコ状床マット用桟部材固定方法において、
前記隣合ったエンドプレートの両側部に設けられた凹凸部により、前記桟部材の長さ方向の移動を防止したことを特徴とするスノコ状床マット用桟部材固定方法。
【請求項２】
マット部材と、
前記マット部材を上部に嵌合する嵌合凹部、側部に設けられた連結溝、少なくとも前記嵌合凹部と側部によって囲まれた空洞部、が成形された桟部材と、
前記連結溝に端部を嵌入させることにより、前記桟部材を互いに連結する連結部材と、
前記桟部材の少なくとも一端に固定され、一方の側部に突出する側部突出部と、他方の側部に突出し、前記側部突出部を挟むように嵌合させる一対の側部突出部が成形されているエンドプレートと、
を少なくとも備え、前記マットが嵌合された桟部材を複数連結させて構成されることを特徴とするスノコ状床マット。
【請求項３】
マット部材と、
前記マット部材を上部に嵌合する嵌合凹部、側部に設けられた連結溝、少なくとも前記嵌合凹部と側部によって囲まれた空洞部、が成形された桟部材と、
前記連結溝に端部を嵌入させることにより、前記桟部材を互いに連結する連結部材と、
前記桟部材の少なくとも一端に固定され、一方の側部に突出する第１側部突出部と、他方の側部に突出し、前記第１側部突出部と互い違いに嵌合する第２側部突出部が成形されているエンドプレートと、
を少なくとも備え、前記マットが嵌合された桟部材を複数連結させて構成されることを特徴とするスノコ状床マット。
【請求項４】
前記桟部材の空洞部は、前記嵌合凹部と側部、および底部によって成形されていることを特徴とする請求項２または請求項３に記載されたスノコ状床マット。
【請求項５】
前記エンドプレートは、桟部材の底部と空洞嵌合凸部がビス止めされていることを特徴とする請求項４に記載されたスノコ状床マット。
【請求項６】
前記エンドプレートは、内面に、前記空洞部に嵌合する空洞嵌合凸部が成形されていることを特徴とする請求項２から請求項５のいずれか１項に記載されたスノコ状床マット。
【請求項７】
マット部材と、
前記マット部材を上部に嵌合する嵌合凹部、側部に設けられた連結溝、少なくとも前記嵌合凹部と側部によって囲まれた空洞部、が成形された桟部材と、
前記連結溝に端部を嵌入させることにより、前記桟部材を互いに連結する連結部材と、
前記桟部材の少なくとも一端に固定され、一方の側部に突出する第１段差付側部突出部と、他方の側部に突出し、前記第１段差付側部突出部と互い違いに嵌合する第２段差付側部突出部が成形されているエンドプレートと、
を少なくとも備え、前記マットが嵌合された桟部材を複数連結させて構成されることを特徴とするスノコ状床マット。
【請求項８】
前記エンドプレートは、ネジを桟部材の連結溝にネジ込むことにより前記桟部材の端部に取り付けられることを特徴とする請求項７に記載されたスノコ状床マット。
【請求項９】
前記エンドプレートは、前記ネジを挿入するネジ孔が一部側部突出部にかかっていることを特徴とする請求項７または請求項８に記載されたスノコ状床マット。
【発明の詳細な説明】
【技術分野】
【０００１】
本発明は、スノコ状床マット用桟部材固定方法、およびスノコ状床マットに関するものである。特に、本発明は、ホテルやビルのエントランスに敷くことにより、カーペットの豪華な重厚感と、金属マットの機能性を兼ね備え、かつ、排水性にも優れたスノコ状床マット用桟部材固定方法、およびスノコ状床マットに関するものである。
【背景技術】
【０００２】
本出願人は、マットを取り付けた桟部材を連結部材で接続することにより、折り畳めるようにしたスノコ状床マットを数多く出願している。たとえば、前記スノコ状床マットは、靴で踏まれた際に靴底から拭い取った泥等が残り、この部分を通過した場合、綺麗な靴底であっても、その場で泥が付着し、他の箇所に汚れが広がる。
【０００３】
前記スノコ状床マットは、汚れが広がるのを防止するために、泥を水によって除去する際の汚水排水手段を備えている。前記汚水排水手段を備えたスノコ状床マットは、たとえば、特願２００２−１４３２４６（特開２００３−３２５３０４号公報）に記載されている。
【０００４】
【特許文献１】特開２００３−３２５３０４号公報
【発明の開示】
【発明が解決しようとする課題】
【０００５】
前記スノコ状床マットは、寒暖の差による連結部材の変形、あるいは、長期間の使用による変形によって、形状が変形することがある。変形したスノコ状床マットは、豪華な重厚感を有するマットとしての価値を下げていた。
【０００６】
前記スノコ状床マットは、前記連結部材に合成樹脂部材を使用すると、温度により大きな熱伸縮、および製造時における連結部材を切断する際の誤差に基づいて、方形の形状に緩みが出て、菱形になることがあった。前記合成樹脂部材からなる連結部材を使用したスノコ状床マットは、形状が崩れると、品質的に悪く、一流ビルでの使用ができないという問題があった。
【０００７】
豪華な重厚感を有する前記スノコ状床マットは、規格品ではなく、受注生産の場合が多く、高品質で早い納期が要求される。そこで、前記スノコ状床マットは、熱膨張や長期間の使用によっても、いつも方形が維持できるようにする必要がある。
【０００８】
以上のような課題を解決するために、本発明は、どのような条件で使用されてもスノコ状床マットが方形を保ち、かつ、足踏みにより音のしない豪華な重厚感と、金属マットの機能性を兼ね備えたスノコ状床マット用桟部材固定方法、およびスノコ状床マットを提供することを目的とする。
【課題を解決するための手段】
【０００９】
（第１発明）
第１発明のスノコ状床マット用桟部材固定方法は、マット部材と、前記マット部材を上部に嵌合する嵌合凹部と、側部に設けられた連結溝と、少なくとも前記嵌合凹部と側部によって囲まれた空洞部が成形された桟部材と、前記連結溝に端部を嵌入させることにより、前記桟部材を互いに連結する連結部材と、前記桟部材の少なくとも一端に固定されるエンドプレートと、を少なくとも備え、前記マットが嵌合された桟部材を複数連結させるように構成されており、前記隣合ったエンドプレートの両側部に設けられた凹凸部により、前記桟部材の長さ方向の移動を防止したことを特徴とする。
【００１０】
（第２発明）
第２発明のスノコ状床マットは、マット部材と、前記マット部材を上部に嵌合する嵌合凹部、側部に設けられた連結溝、少なくとも前記嵌合凹部と側部によって囲まれた空洞部、が成形された桟部材と、前記連結溝に端部を嵌入させることにより、前記桟部材を互いに連結する連結部材と、前記桟部材の少なくとも一端に固定され、一方の側部に突出する側部突出部と、他方の側部に突出し、前記側部突出部を挟むように嵌合させる一対の側部突出部が成形されているエンドプレートと、を少なくとも備え、前記マットが嵌合された桟部材を複数連結させて構成されることを特徴とする。
【００１１】
（第３発明）
第３発明のスノコ状床マットは、マット部材と、前記マット部材を上部に嵌合する嵌合凹部、側部に設けられた連結溝、少なくとも前記嵌合凹部と側部によって囲まれた空洞部、が成形された桟部材と、前記連結溝に端部を嵌入させることにより、前記桟部材を互いに連結する連結部材と、前記桟部材の少なくとも一端に固定され、一方の側部に突出する第１側部突出部と、他方の側部に突出し、前記第１側部突出部と互い違いに嵌合する第２側部突出部が成形されているエンドプレートと、を少なくとも備え、前記マットが嵌合された桟部材を複数連結させて構成されることを特徴とする。
【００１２】
（第４発明）
第４発明のスノコ状床マットは、第２発明または第３発明において、桟部材の空洞部が前記嵌合凹部と側部、および底部によって成形されていることを特徴とする。
【００１３】
（第５発明）
第５発明のスノコ状床マットは、第４発明において、桟部材の底部とエンドプレートの空洞嵌合凸部がビス止めされていることを特徴とする。
【００１４】
（第６発明）
第６発明のスノコ状床マットは、第２発明から第５発明において、エンドプレートの内面に、前記空洞部に嵌合する空洞嵌合凸部が成形されていることを特徴とする。
【００１５】
（第７発明）
第７発明のスノコ状床マットは、マット部材と、前記マット部材を上部に嵌合する嵌合凹部、側部に設けられた連結溝、少なくとも前記嵌合凹部と側部によって囲まれた空洞部、が成形された桟部材と、前記連結溝に端部を嵌入させることにより、前記桟部材を互いに連結する連結部材と、前記桟部材の少なくとも一端に固定され、一方の側部に突出する第１段差付側部突出部と、他方の側部に突出し、前記第１段差付側部突出部と互い違いに嵌合する第２段差付側部突出部が成形されているエンドプレートと、を少なくとも備え、前記マットが嵌合された桟部材を複数連結させて構成されることを特徴とする。
【００１６】
（第８発明）
第８発明のスノコ状床マットは、第７発明において、ネジを桟部材の連結溝にネジ込むことによりエンドプレートが前記桟部材の端部に取り付けられることを特徴とする。
【００１７】
（第９発明）
第９発明のスノコ状床マットは、第７発明または第８発明において、前記ネジを挿入するネジ孔がエンドプレートの一部側部突出部にかかっていることを特徴とする。
【発明の効果】
【００１８】
本発明によれば、桟部材の側部に設けられた連結溝内で、桟部材を互いに連結させる連結部材が寒暖の差による変形や長期間の使用によっても、スノコ状床マットの変形が防止できるとともに、折り畳みができる。
【００１９】
本発明によれば、前記マットが嵌合された桟部材を複数連結させ、エンドプレートの側部に成形された側部突出部と他のエンドプレートの他方に成形された一対の側部突出部が互いに挟み込むように嵌合されているので、桟部材の長さ方向に移動ができず、常に方向が維持されるとともに、折り畳むことができる。
【００２０】
本発明によれば、エンドプレートの少なくとも一端に、第１側部突出部と、他のエンドプレートに成形された第２側部突出部とが互い違いに嵌合されているので、桟部材の長さ方向の移動が防止され、スノコ状床マットの形状を方形に維持することができるとともに、折り畳む際に第１側部突出部と第２側部突出部とが衝突しないような形状になっている。
【００２１】
本発明によれば、エンドプレートの形状に工夫を加えることにより、スノコ状床マットの変形を無くすとともに、折り畳みが自在にできるようにした。
【００２２】
本発明によれば、スノコ状床マットから金属音が発生せず、形が変形することもないので、カーペットの豪華な重厚感と金属マットの機能性を兼ね備え、ホテルやビルのエントランスに設置することができる。
【発明を実施するための最良の形態】
【００２３】
（第１発明）
第１発明において、スノコ状床マットは、マット部材と、前記マット部材を上部に嵌合する嵌合凹部、側部に設けられた連結溝、少なくとも前記嵌合凹部と側部によって囲まれた空洞部、が成形された桟部材と、前記桟部材の側部に設けられた連結溝に嵌入され、前記桟部材どうしを互いに連結させる複数の連結部材と、前記桟部材の少なくとも一端に固定されるエンドプレートと、から少なくとも構成され、前記マットが嵌合された桟部材を複数連結させて構成される。
【００２４】
第１発明のスノコ状床マット用桟部材固定方法は、前記隣合ったエンドプレートの両側部に設けられた凹凸部により、前記桟部材の長さ方向の移動を防止している。すなわち、前記構成のスノコ状床マットは、寒暖の差による連結部材の変形、あるいは、長期間の使用による変形があっても、前記隣合ったエンドプレートの両側部に設けられた凹凸部の嵌合により、前記桟部材の長さ方向の移動が防止されて、変形することがないと同時に折り畳むことができる。
【００２５】
（第２発明）
第２発明のスノコ状床マットは、マット部材と、前記マット部材が設けられた桟部材と、桟部材を連結する連結部材と、前記連結部材の少なくとも一端を塞ぐエンドプレートとから構成されている。前記桟部材は、上部に前記マット部材を嵌合する嵌合凹部、側部に連結部材の端部を遊嵌する連結溝、下部に前記嵌合凹部および側部によって囲まれた空洞部、から構成され、たとえば、一体成形されている。
【００２６】
前記連結部材は、たとえば、両端に断面円形または半円形の膨出部を有し、前記連結溝の内部に遊嵌され、桟部材を折り畳むことができるようになっている。エンドプレートは、前記桟部材の両端に固定されるものであり、一方の側部に突出する側部突出部と、他方の側部に突出し、前記側部突出部と互いに挟むように嵌合させる一対の側部突出部が成形されている。また、前記側部突出部は、エンドプレートの一方にのみ設けておくこともできる。
【００２７】
第２発明は、前記マットが嵌合された桟部材を複数連結させ、エンドプレートの側部に成形された側部突出部と他のエンドプレートの他方に成形された一対の側部突出部が互いに挟み込むように嵌合し、桟部材の長さ方向に移動ができないようになっている。
【００２８】
桟部材が長さ方向に移動できないような構成は、スノコ状床マットを敷いた場合、変形せずに方形を常に維持することができるとともに折り畳むこともできる。すなわち、前記側部突出部および一対の側部突出部は、スノコ状床マットを折り畳む際に互いに衝突しないようになっている。
【００２９】
（第３発明）
第３発明のスノコ状床マットは、エンドプレートの形状のみが第２発明と異なっている。すなわち、第３発明のエンドプレートは、一方の側部に突出する第１側部突出部と、他方の側部に突出し、前記第１側部突出部と互い違いに嵌合する第２側部突出部が成形されている。
【００３０】
前記桟部材の両端に固定されているエンドプレートは、少なくとも一端に、前記第１側部突出部と、他のエンドプレートに成形された第２側部突出部とが互い違いに嵌合されているため、桟部材の長さ方向の移動が防止され、スノコ状床マットの形状を方形に維持することができるとともに、折り畳む際に第１側部突出部と第２側部突出部とが衝突しないような形状になっている。
【００３１】
（第４発明）
第４発明のスノコ状床マットは、前記嵌合凹部と側部、および底部によって前記桟部材に空洞部が成形されているため、前記エンドプレートが嵌合し易いだけでなく、桟部材の長さ方向の移動がし難く、方形を崩すことがない。
【００３２】
（第５発明）
第５発明のスノコ状床マットは、桟部材の底部と、エンドプレートに設けられた空洞嵌合凸部とがビス止めされている。前記連結部材は、エンドプレートを固定する一本のビスによって長さ方向の移動を防止している。
【００３３】
（第６発明）
第６発明のスノコ状床マットは、エンドプレートの側部に桟部材の長さ方向の動きを止める凸部が成形されているとともに、前記エンドプレートの内面側に桟部材の空洞とほぼ同じ形状の空洞嵌合凸部が成形されている。前記エンドプレートの形状は、スノコ状床マットの方形を変えることなく、折り畳みができるようになっている。
【００３４】
（第７発明）
第７発明のスノコ状床マットは、エンドプレートの形状が第２発明および第３発明と異なっている。前記エンドプレートは、側部に成形された段差付側部突出部が互い違いに嵌合することにより、桟部材の長さ方向の移動を防止するとともに、折り畳めるような構造になっている。
【００３５】
すなわち、前記エンドプレートは、前記桟部材の少なくとも一端に固定され、前記桟部材の空洞に嵌まる形状の空洞嵌合凸部を桟部材の空洞に嵌合するとともに、一方の側部に突出する段差付側部突出部と、他方の側部に突出し、前記段差付側部突出部と互い違いに嵌合する段差部嵌合側部突出部が成形されている。
【００３６】
第７発明のスノコ状床マットは、前記エンドプレートに成形された段差部が互い違いに嵌合できるような突出部であるため、スノコ状床マットの形状が崩れることなく、折り畳みが自在にできる。
【００３７】
（第８発明）
第８発明のスノコ状床マットは、エンドプレートを桟部材に取り付ける場合、二本のネジを桟部材の連結溝にネジ込むことにより取り付けている。したがって、前記連結部材は、ネジの分短くなっている。
【００３８】
（第９発明）
第９発明のスノコ状床マットは、前記エンドプレートを桟部材に止めるネジのネジ孔が側部突出部に一部かかるように構成されている。前記側部突出部は、ネジ孔の一部を切り欠かれることがなく、取り付けが堅固にできる。
【実施例１】
【００３９】
図１（イ）は本発明の第１実施例で、スノコ状床マットを説明するための斜視図で、（ロ）は第１実施例に使用するエンドプレートを説明するための斜視図で、（ハ）はスノコ状床マットの平面図である。図１（イ）ないし（ハ）において、スノコ状床マット１１は、桟部材１２と、マット部材１３と、前記複数の桟部材１２を連結する連結部材１４と、エンドプレート１５とから少なくとも構成されている。
【００４０】
桟部材１２は、内部に軽量化を図るための空洞部１２１と、前記空洞部１２１の上部にマット部材１３を嵌合させる嵌合凹部１２２と、側部１２３に成形された連結溝１２４と、前記空洞部１２１の下部に、たとえば、クッション材を嵌合させる溝等を有する底部１２５と、前記底部１２５に設けられたネジ孔１２６と、から構成されている。
【００４１】
前記マット部材１３は、通常、靴の底に付着する泥等を除去する合成樹脂製の毛等から構成され、前記嵌合凹部１２２に嵌合されている。連結溝１２４には、連結部材１４が摺動して、遊嵌されるように挿入される。前記連結部材１４は、たとえば、両端に断面がほぼ円形または半円形の膨出部１４１を有し、前記連結溝１２４内を摺動するとともに、スノコ状床マット１１が折り畳めるようになっている。前記連結部材１４は、桟部材１２の間に水抜き孔１４２が成形されている。
【００４２】
エンドプレート１５は、前記桟部材１２の両端に取り付けるものであり、内面に前記空洞部１２１に嵌合する形状からなる空洞嵌合凸部１５１と、一方の側部に突出した一つの側部突出部１５３と、他のエンドプレートで、他方の側部に成形され、前記側部突出部１５３を挟み込むように嵌合する一対の側部突出部１５４とから構成されている。前記側部突出部１５３、１５４の先端部は、スノコ状床マット１１を折り畳む際に都合の良いように半円形またはアール状に成形されている。
【００４３】
前記スノコ状床マット１１は、連結部材１４により、複数の桟部材１２が連結された後、前記桟部材１２の両端部にエンドプレート１５を嵌合させる。前記嵌合は、桟部材１２の空洞部１２１と、エンドプレート１５の空洞嵌合凸部１５１とを嵌まり合せた後、ネジ１５６をネジ孔１５２にネジ込むことにより取り付けられる。
【実施例２】
【００４４】
図２（イ）は本発明の第２実施例で、スノコ状床マットを説明するための平面図で、（ロ）は第２実施例に使用するエンドプレートを説明するための斜視図で、（ハ）はスノコ状床マットの側面図である。図２（イ）ないし（ハ）において、示されたスノコ状床マット１１は、第２実施例で、エンドプレート２５の形状が第１実施例と異なっている。
【００４５】
図２（イ）ないし（ハ）に示すエンドプレート２５は、一方の側部に突出した第１側部突出部２５３を、他方の側部に突出した第２側部突出部２５４が成形されている。また、前記第１側部突出部２５３と第２側部突出部２５４とは、位置がずれており、隣合ったエンドプレート２５どうしが互いに入れ違うような構成であり、桟部材１２の長さ方向に移動ができないようになっている。
【００４６】
前記エンドプレート２５の桟部材１２への取り付けは、図示されていないが、図１と同様に、ネジ孔２５２を利用する。また、前記第１側部突出部２５３および第２側部突出部２５４の先端部の形状は、実施例１と同様にほぼ半円形または角部のアールを大きくすることにより、スノコ状床マット１１を折り畳む際に都合が良い。
【実施例３】
【００４７】
図３（イ）は本発明の第３実施例で、スノコ状床マットを説明するための斜視図で、（ロ）は第３実施例に使用するエンドプレートを説明するための斜視図で、（ハ）はスノコ状床マットの平面図で、（ニ）はスノコ状床マットの側面図である。図３（イ）ないし（ニ）において、第３実施例は、エンドプレート３５の形状および桟部材１２への取り付け方が第１実施例および第２実施例と異なっている。
【００４８】
前記エンドプレート３５は、桟部材１２に成形された空洞部１２１に嵌合する空洞嵌合凸部３５１と、前記桟部材１２の端部に取り付けるためのネジ孔３５２と、側部に段差付突出部３５３とが成形されている。前記空洞嵌合凸部３５１は、第３実施例の場合、必ずしも必要でない。
【００４９】
前記段差付突出部３５３は、隣合ったエンドプレート３５の他方の段差付突出部３５４と互い違いになるように嵌合される。桟部材１２の長さ方向の動きは、前記段部によって動かないようになる。また、前記段差付突出部３５３の一方は、エンドプレート３５の端面と同じ面となるように突出しているため、ネジ３５５が連結溝１２４にセルフタッピングによりネジ込まれる。
【００５０】
ネジ３５５によって、連結溝１２４にネジ込む際のネジ孔３５２は、前記エンドプレート３５の端面から僅かに外れるが、前記段差付突出部３５３、３５４により、一部が欠けたネジ孔にならない。
【産業上の利用可能性】
【００５１】
以上、本実施例を詳述したが、本発明は、前記本実施例に限定されるものではなく、特許請求の範囲に記載されている事項を逸脱することがなければ、種々の設計変更を行うことが可能である。たとえば、本発明の桟部材および連結部材は、アルミニウム、アルミニウム合金、その他の金属、あるいは合成樹脂部材から構成することができ、押し出しまたは引き抜き加工等の公知または周知の技術により成形できる。
【００５２】
本発明のエンドプレートにおける側部に成形された突出部は、特許請求の範囲に記載されている事項、および目的を逸脱しない限り、形状に変化を付けることができる。
【図面の簡単な説明】
【００５３】
【図１】（イ）は本発明の第１実施例で、スノコ状床マットを説明するための斜視図で、（ロ）は第１実施例に使用するエンドプレートを説明するための斜視図で、（ハ）はスノコ状床マットの平面図である。（実施例１）
【図２】（イ）は本発明の第２実施例で、スノコ状床マットを説明するための平面図で、（ロ）は第２実施例に使用するエンドプレートを説明するための斜視図で、（ハ）はスノコ状床マットの側面図である。（実施例２）
【図３】（イ）は本発明の第３実施例で、スノコ状床マットを説明するための斜視図で、（ロ）は第３実施例に使用するエンドプレートを説明するための斜視図で、（ハ）はスノコ状床マットの平面図で、（ニ）はスノコ状床マットの側面図である。（実施例３）
【符号の説明】
【００５４】
１１・・・スノコ状床マット
１２・・・桟部材
１２１・・・空洞部
１２２・・・嵌合凹部
１２３・・・側部
１２４・・・連結溝
１２５・・・底部
１２６・・・ネジ孔
１３・・・マット部材
１４・・・連結部材
１４１・・・膨出部
１４２・・・水抜き孔
１５・・・エンドプレート
１５１・・・空洞嵌合凸部
１５２・・・ネジ孔
１５３・・・側部突出部
１５４・・・一対の側部突出部
１５６・・・ネジ
２５・・・エンドプレート
２５１・・・空洞嵌合凸部
２５２・・・ネジ孔
２５３、２５４・・・側部突出部
３５・・・エンドプレート
３５１・・・空洞嵌合凸部
３５２・・・ネジ孔
３５３、３５４・・・段差付突出部
３５５・・・ネジ
【図１】
2005253725.tif 000003
【図２】
2005253725.tif 000004
【図３】
2005253725.tif 000005